(57)【特許請求の範囲】
【請求項１】
自動販売機に設けられ、電子マネー情報が記憶された情報記憶媒体との間で通信を行う自動販売機用リーダライタにおいて、
前記自動販売機の前面より外部に露出する第１の部位と、前記自動販売機内に位置する第２の部位を備え、
前記第１の部位に、少なくともアンテナと、該アンテナを介して前記情報記憶媒体との非接触通信を行うためのＲＦ回路部と、前記情報記憶媒体との間の通信用の鍵情報を保有し、前記ＲＦ回路部により前記情報記憶媒体と通信を行うセキュリティーモジュール部と、外部からのタンパー行為を検知するタンパー検知部が配置されていることを特徴とする自動販売機用リーダライタ。
【請求項２】
前記タンパー検知部によりタンパー行為が検知された場合、前記セキュリティーモジュール部は、保有する前記鍵情報を消去することを特徴とする請求項１に記載の自動販売機用リーダライタ。
【請求項３】
前記第２の部位に、前記自動販売機及び所定の管理サーバとの間のデータ通信並びに前記第１の部位の制御を行う制御部が配置されていることを特徴とする請求項２に記載の自動販売機用リーダライタ。
【請求項４】
前記セキュリティーモジュール部の鍵情報が消去された場合、前記制御部は前記管理サーバに通知することを特徴とする請求項３に記載の自動販売機用リーダライタ。
【請求項５】
前記第１の部位を構成する第１の筐体と、前記第２の部位を構成する第２の筐体を備え、前記自動販売機の前面を貫通するハーネスを介して前記第１の筐体と前記第２の筐体が接続されることを特徴とする請求項１乃至請求項４のうちの何れかに記載の自動販売機用リーダライタ。
【請求項６】
請求項１乃至請求項５のうちの何れかに記載の自動販売機用リーダライタを備えたことを特徴とする自動販売機。
【発明の詳細な説明】
【技術分野】
【０００１】
本発明は、電子マネー情報が記憶された情報記憶媒体との間で通信を行う自動販売機用リーダライタ、及び、それを備えた自動販売機に関するものである。
【背景技術】
【０００２】
従来、この種の自動販売機用リーダライタとして、自動販売機に設けられ、電子マネー情報が記憶されたＩＣカード（電子マネーカード）等の情報記憶媒体との間で通信を行い、電子マネーの決済処理を行うものが知られている（例えば、特許文献１参照）。
【０００３】
特許文献１の場合、自動販売機用リーダライタは、自動販売機の前面となる外扉より外部に露出して取り付けられた第１の筺体と、外扉の内側、即ち自動販売機内に取り付けられた第２の筺体とから構成され、これらがワイヤーハーネス（配線）で接続される構成とされていた。
【０００４】
そして、第１の筐体にはアンテナと、このアンテナを介して情報記憶媒体との非接触通信を行うＲＦ回路部（アンテナ制御回路部）や表示器、スイッチ等が設けられ、第２の筐体に、情報記憶媒体との間の通信用の鍵情報を保有し、ＲＦ回路部を用いて情報記憶媒体の情報の読み出し、情報記憶媒体への情報の書き込みを行うセキュリティーモジュール部と、リーダライタ全体の制御を行う制御部が設けられていた。
【０００５】
尚、このセキュリティーモジュール部には売上データも保存される。また、鍵情報とは情報記憶媒体の認証を行うための認証鍵、及び、制御部がセキュリティーモジュール部内のデータにアクセスするための暗号鍵であるが、これら認証鍵と暗号鍵は別個のものであっても同一のものであってもよい。
【先行技術文献】
【特許文献】
【０００６】
【特許文献１】特開２０１０−６１５２７号公報
【発明の概要】
【発明が解決しようとする課題】
【０００７】
このように、従来ではセキュリティーモジュール部が自動販売機内の第２の筐体に設けられていたため、第２の筐体側のセキュリティーモジュール部は、情報記憶媒体と通信する際、配線距離が長くなるワイヤーハーネスを介して第１の筐体側のＲＦ回路部により情報記憶媒体と情報のやりとりを行うことになる。そのため、外部からの影響を受けて、通信エラーが発生しやすくなってしまい、リトライを繰り返すことで通信処理の遅延が生じ、ＩＣカードの検知時間（認証時間）が遅くなって、電子マネーの決済処理や残高照会処理に悪影響が生じると云う問題があった。
【０００８】
本発明は、係る従来の技術的課題を解決するために成されたものであり、セキュリティーモジュール部による情報記憶媒体との通信時間を短縮して円滑な電子マネーの処理を実現することができる自動販売機用リーダライタ及びそれを備えた自動販売機を提供することを目的とする。
【課題を解決するための手段】
【０００９】
本発明の自動販売機用リーダライタは、自動販売機に設けられ、電子マネー情報が記憶された情報記憶媒体との間で通信を行うものであって、自動販売機の前面より外部に露出する第１の部位と、自動販売機内に位置する第２の部位を備え、第１の部位に、少なくともアンテナと、このアンテナを介して情報記憶媒体との非接触通信を行うためのＲＦ回路部と、情報記憶媒体との間の通信用の鍵情報を保有し、ＲＦ回路部により情報記憶媒体と通信を行うセキュリティーモジュール部と、外部からのタンパー行為を検知するタンパー検知部が配置されていることを特徴とする。
【００１０】
請求項２の発明の自動販売機用リーダライタは、上記発明においてタンパー検知部によりタンパー行為が検知された場合、セキュリティーモジュール部は、保有する鍵情報を消去することを特徴とする。
【００１１】
請求項３の発明の自動販売機用リーダライタは、上記発明において第２の部位に、自動販売機及び所定の管理サーバとの間のデータ通信並びに第１の部位の制御を行う制御部が配置されていることを特徴とする。
【００１２】
請求項４の発明の自動販売機用リーダライタは、上記発明においてセキュリティーモジュール部の鍵情報が消去された場合、制御部は管理サーバに通知することを特徴とする。
【００１３】
請求項５の発明の自動販売機用リーダライタは、上記各発明において第１の部位を構成する第１の筐体と、第２の部位を構成する第２の筐体を備え、自動販売機の前面を貫通するハーネスを介して第１の筐体と第２の筐体が接続されることを特徴とする。
【００１４】
請求項６の発明の自動販売機は、上記各発明に記載の自動販売機用リーダライタを備えたことを特徴とする。
【発明の効果】
【００１５】
本発明によれば、自動販売機に設けられ、電子マネー情報が記憶された情報記憶媒体との間で通信を行う自動販売機用リーダライタにおいて、自動販売機の前面より外部に露出する第１の部位と、自動販売機内に位置する第２の部位を備え、第１の部位に、少なくともアンテナと、このアンテナを介して情報記憶媒体との非接触通信を行うためのＲＦ回路部と、情報記憶媒体との間の通信用の鍵情報を保有し、ＲＦ回路部により情報記憶媒体と通信を行うセキュリティーモジュール部を配置したので、ＲＦ回路部とセキュリティーモジュール部との間の配線距離を従来に比して著しく短くすることができる。
【００１６】
これにより、ＲＦ回路部とセキュリティーモジュール部間の前述した通信処理の遅延が解消され、請求項６の如き自動販売機における情報記憶媒体の認証や決済、残高処理に要する時間を短くすることができるようになる。また、外部からの影響も受け難くなるので、安定した電子マネーの処理を実現することができるようになる。
【００１７】
ここで、セキュリティーモジュール部を第１の部位に配置した場合、鍵情報を保有するセキュリティーモジュール部が自動販売機の外側に位置することになるため、外部からの分解や破壊行為（タンパー行為）を受ける危険性がある。これに対して本発明では、第１の部位に、外部からのタンパー行為を検知するタンパー検知部を設けているので、請求項２の発明の如くタンパー検知部によりタンパー行為が検知された場合、セキュリティーモジュール部が、保有する鍵情報を消去するようにすることにより、タンパー行為によって第１の部位が自動販売機から外され、或いは、第１の部位が破壊された場合にも、セキュリティーモジュール部への不正なアクセスを阻止し、セキュリティーモジュール部内のデータが不正利用される不都合を解消することができるようになる。
【００１８】
更に、請求項３の発明の如く第２の部位に、自動販売機及び所定の管理サーバとの間のデータ通信並びに第１の部位の制御を行う制御部を配置し、請求項４の発明の如くセキュリティーモジュール部の鍵情報が消去された場合、制御部が管理サーバに通知するようにすれば、自動販売機用リーダライタがタンパー行為を受けたことをいち早く管理サーバに通報して対応を促すことができるようになる。
【００１９】
特に、請求項５の発明の如く第１の部位を第１の筐体で構成すると共に、第２の部位を第２の筐体で構成し、自動販売機の前面を貫通するハーネスを介して第１の筐体と第２の筐体が接続した自動販売機用リーダライタに本発明は有効である。
【図面の簡単な説明】
【００２０】
【図１】本発明を適用した実施例の自動販売機の正面図である。
【図２】本発明の一実施形態の自動販売機用リーダライタの斜視図である。
【図３】図２の自動販売機用リーダライタの機能ブロック図である。
【発明を実施するための形態】
【００２１】
以下、図面に基づき本発明の一実施形態を説明する。図１は本発明を適用した実施例の自動販売機１の正面図を示している。図１に示す実施例の自動販売機１は、前面が開口した断熱性の本体２と、この本体２の前面を開閉自在に閉塞する外扉３を備えている。即ち、外扉３の前面が自動販売機１の前面となる。本体２内に図示しない商品収納庫が構成され、この商品収納庫内に販売する缶飲料、ペットボトル飲料等の商品が収納されている。また、商品収納庫の下側には図示しない機械室が構成され、この機械室内には商品収納庫内を冷却又は加温するための冷凍機が設置されている。尚、商品収納庫の前面開口はこれも図示しない断熱性の内扉で開閉自在に閉塞されている。
【００２２】
外扉３は係る内扉の前側に間隔を存して位置しており、実施例では向かって左側が本体２に回動自在に枢支されている。外扉３の前面上部には商品サンプル室４が構成されており、この商品サンプル室４内に陳列された複数の各商品サンプルに対応して複数の商品選択スイッチ６が配置されている。また、商品サンプル室４の下側の外扉３前面には、広告パネル（広告表示部）５が構成されており、この広告パネル５の下側の外扉３前面下部には商品取出口７が構成されている。
【００２３】
更に、外扉３の前面の向かって右側（非枢支側）中央部には化粧パネル８が取り付けられており、この化粧パネル８内に位置して硬貨投入口９、返却レバー１１及び自動販売機表示部１２（例えば、「販売中」等の販売情報を表示する）が設けられている。また、商品取出口７の向かって右側の外扉３前面には硬貨返却口１３が構成されている。
【００２４】
また、化粧パネル８と広告パネル５の間の外扉３前面には、紙幣識別装置（ビルバリ）２４と、本発明の自動販売機用リーダライタとしての電子マネー用のリーダライタ２２が取り付けられている。
【００２５】
実施例のリーダライタ２２は、自動販売機１の商品販売に用いられる電子マネー残高が記憶された情報記憶媒体としての周知の非接触式のＩＣカード（電子マネーカード）２６（図３）を検出し、電子マネー残高を読み書きすることで電子マネーの決済処理や残高照会処理を行う装置である。このリーダライタ２２は、実施例では本発明の第１の部位を構成する第１の筐体３１と、第２の部位を構成する第２の筐体３２と、各筐体３１、３２内にそれぞれ設けられた回路基板に接続されたハーネスとしてのワイヤーハーネス（配線）３３とから構成されている。
【００２６】
尚、リーダライタ２２は、複数種の電子マネーの処理を行うように構成されているが、各電子マネーの処理の内容については、周知の処理内容と同様であるため説明を省略する。
【００２７】
第１の筐体（第１の部位）３１は、自動販売機１の外扉３の前面に取り付けられて当該前面より外部に露出しており、前面には図２に示す如くＩＣカード２６の形状に合わせて形成された読取面３４と、決済処理に用いられる電子マネーサービスを切り換えて選択するためのマネー切替スイッチ３６と、ＬＥＤ３７と、ＩＣカード２６に記憶された電子マネー残高や操作案内等の文字情報を表示する表示部３８が図２に示すレイアウトで設けられている。
【００２８】
読取面３４の裏面には、ＩＣカード２６との間でデータの送受信を行うためのループ状のアンテナ４１が設けられている。そして、利用者がマネー切替スイッチ３６を用いて電子マネーサービスを選択した後、ＩＣカード２６を読取面３４から所定範囲（例えば、５ｃｍ）内の位置にかざした場合には、アンテナ４１とＩＣカード２６間の非接触通信が可能となるように構成されている。
【００２９】
一方、第２の筐体（第２の部位）３２は、実施例では外扉３の裏面に取り付けられて自動販売機１内に位置している。そして、ワイヤーハーネス３３は外扉３に穿設された挿通孔（図示せず）を通過することで外扉３を貫通し、第１の筺体３１と第２の筺体３２とを相互に接続している。
【００３０】
次に、リーダライタ２２の制御系の構成について図３に基づき説明する。図３はリーダライタ２２の機能ブロック図である。自動販売機１の前面（外扉３の前面）より外部に露出する第１の筐体３１内には、ＲＦ回路部４２と、前述したアンテナ４１、マネー切替スイッチ３６、ＬＥＤ３７、及び、表示部３８と、スピーカ４３が設けられている。更に第１の筐体３１内には、セキュリティーモジュール部４４と、中継基板４６と、タンパー検知部４７が設けられている。
【００３１】
前記ＲＦ回路部４２は、ＩＣカード２６との非接触通信をアンテナ４１を介して行うためのものであって、周知のＡＤ／ＤＡ変換器及び整流回路等から構成されている。また、表示部３８は、前述した文字情報等を表示する液晶ディスプレイである。
【００３２】
前記セキュリティーモジュール部４４は、ＣＰＵと、ＲＡＭ、ＲＯＭ等のメモリを備えたものであり、このセキュリティーモジュール部４４のメモリには、売上データやカード情報、及び、鍵情報が保有されている。尚、鍵情報はＩＣカード２６の認証を行うための認証鍵、及び、後述する制御部４８がセキュリティーモジュール部４４内のデータにアクセスするための暗号鍵である。これら認証鍵と暗号鍵は別個のものであってもよく、同一であってもよいものである。
【００３３】
このセキュリティーモジュール部４４は、ＲＦ回路部４２を用い、アンテナ４１を介してＩＣカード２６の情報を読み取り、自らが保有する認証鍵を用いてＩＣカード２６を認証する。そして、ＩＣカード２６の電子マネーの残高情報を読み取り、また、書き込みを行うことにより、決済処理や残高照会処理を行う。
【００３４】
前記タンパー検知部４７は、実施例では光センサから構成されている。このタンパー検知部４７は、第１の筐体３１を外扉３から取り外す行為や、第１の筐体３１を破壊する行為等（タンパー行為）を検知し、タンパー検知情報を中継基板４６を介してセキュリティーモジュール部４４に送信する。セキュリティーモジュール４４部はタンパー検知部４７からタンパー検知情報を受信した場合、自らが保有する前述した鍵情報（認証鍵及び暗号鍵）の他、売上データやカード情報を消去するように構成されている。
【００３５】
一方、自動販売機１内に位置する第２の筐体３２内には、制御部４８が設けられており、前述したワイヤーハーネス３３を構成するコネクタ５１により第１の筐体３１内の各機器（セキュリティーモジュール部４４、中継基板４６、表示部３８、スピーカ４３、ＬＥＤ３６、マネー切替スイッチ３６）と電気的に接続されている。この制御部４８は、これら第１の筐体３１内の機器を含むリーダライタ２２全体の制御を司るものであり、ＣＰＵと、ＲＡＭ、ＲＯＭ等のメモリを備えている。
【００３６】
この制御部４８は、メモリに格納されたデータ及びプログラムに基づいてリーダライタ２２の各機器を制御する。即ち、セキュリティーモジュール部４４と前述した暗号鍵を用いて情報の送受信を行い、表示部３８に電子マネー残高等を表示する。また、制御部４８は自動販売機１の運転を制御する自動販売機制御部５１と情報の送受信を行い、電子マネーで決済された商品の決済履歴の情報を自動販売機制御部５１に送信することで商品の自動販売を行わせるように構成されている。
【００３７】
ここで、電子マネーを用いたリーダライタ２２による決済処理と、自動販売機１による商品販売の流れの一例を説明する。例えば、利用者が自動販売機１の商品選択スイッチ６により商品を選択した場合、自動販売機制御部５１から商品情報がリーダライタ２２の制御部４８に送信される。そして、マネー切替スイッチ３６より決済処理に用いる電子マネーサービスが選択され、ＩＣカード２６がアンテナ４１にかざされると、セキュリティーモジュール部４４はＲＦ回路部４２を用いてＩＣカード２６と非接触の無線通信を行い、電子マネー残高を読み取る。
【００３８】
次に、セキュリティーモジュール部４４は、制御部４８から商品情報を受信し、当該商品情報内の商品価格を用いて電子マネーの決済処理を実行する。ＩＣカード２６内の電子マネー残高は商品価格分引かれることになる。最後に、セキュリティーモジュール部４４は決済処理を行った決済履歴の情報を制御部４８に送信する。制御部４８はこの決済履歴の情報を自動販売機制御部５１に送信する。自動販売機制御部５１は決済履歴の情報を受け取ると、選択された商品を販売する。これにより、電子マネーを使用した商品の自動販売が実現されるものである。尚、以上の流れはこの例に限られるものでは無く、ＩＣカード２６をリーダライタ２２にかざしてから商品選択スイッチ６が操作される場合など、種々存在する。
【００３９】
ここで、制御部４８はルータ４９を介して電話回線により所定の管理サーバと繋がっており、セキュリティーモジュール部４４から暗号鍵を用いて読み出した売上データ等を管理サーバに送信するデータの送受信を行うと共に、前述したタンパー検知部４７がタンパー行為を検知した場合、中継基板４６を介してタンパー検知情報を受信し、或いは、セキュリティーモジュール部４４経由で受信し、管理サーバにその旨、通知するように構成されている。
【００４０】
このように、自動販売機１の前面より外部に露出する第１の筐体３１と、自動販売機１内に位置する第２の筐体３２からリーダライタ２２を構成し、第１の筐体３１に、アンテナ４１と、このアンテナ４１を介してＩＣカード２６との非接触通信を行うためのＲＦ回路部４２と、ＩＣカード２６との間の通信用の鍵情報を保有し、ＲＦ回路部によりＩＣカード２６と通信を行うセキュリティーモジュール部４４を配置したので、ＲＦ回路部４２とセキュリティーモジュール部４４との間の配線距離（図３中にＸ１で示す）を従来のワイヤーハーネス３３を介した場合に比して著しく短くすることができる。
【００４１】
これにより、ＲＦ回路部４２とセキュリティーモジュール部４４間の通信処理の遅延が解消され、自動販売機１におけるセキュリティーモジュール部４４内の鍵情報を用いたＩＣカード２６の認証や電子マネーの決済、残高処理に要する時間を短くすることができるようになる。また、外部からの影響も受け難くなるので、安定した電子マネーの処理を実現することができるようになる。
【００４２】
また、第１の筐体３１に、外部からのタンパー行為を検知するタンパー検知部４７を設け、このタンパー検知部４７がタンパー行為を検知した場合、セキュリティーモジュール部４４が、保有する鍵情報や売上データ等を消去するようにしたので、第１の筐体３１が自動販売機１の外扉３から外されたり、破壊された場合（タンパー行為）にも、セキュリティーモジュール部４４への不正なアクセスを阻止し、セキュリティーモジュール部４４内のデータが不正利用される不都合を解消することができるようになる。
【００４３】
上記は実施例の如く自動販売機１内に設けた第２の筐体３２に、自動販売機１及び管理サーバとの間のデータ通信並びに第１の筐体３１内の機器の制御を行う制御部４８を配置し、自動販売機１の外扉３を貫通するワイヤーハーネス３３を介して第２の筐体３２と第１の筐体３１を接続したものでは特に有効である。
【００４４】
更に、セキュリティーモジュール部４４の鍵情報が消去された場合、制御部４８は管理サーバに通知するので、リーダライタ２２がタンパー行為を受けたことをいち早く管理サーバに通報して対応を促すことができるようになる。
【００４５】
尚、実施例では自動販売機１の前面の外扉３より外部に露出する第１の筐体３１と、自動販売機１内の外扉３裏面に取り付けた第２の筐体３２をワイヤーハーネス３３で接続したリーダライタ２２で本発明を説明したが、それに限らず、請求項５以外の発明ではそれに限らず、外扉３の前面にて外部に露出する第１の部位と自動販売機１内に位置する第２の部位とが単一の筐体で一体構成されたものであってもよい。
【００４６】
その場合には、外扉３に筐体が嵌め込まれるかたちとなるが、その場合にもアンテナ４１、ＲＦ回路部４２、セキュリティーモジュール部４４は少なくとも第１の部位内（自動販売機１の外部）に配置し、制御部４８は第２の部位内（自動販売機１内）に配置するものとする。
【００４７】
また、実施例では情報記憶媒体としてＩＣカード２６を例に挙げて説明したが、それに限らず、リーダライタ２２と非接触の無線通信が可能な携帯電話やスマートフォン等の携帯端末機器であっても良いことは云うまでもない。
【符号の説明】
【００４８】
１  自動販売機
３  外扉
２２  リーダライタ（自動販売機用リーダライタ）
２６  ＩＣカード（情報記憶媒体）
３１  第１の筐体（第１の部位）
３２  第２の筐体（第２の部位）
３３  ワイヤーハーネス（ハーネス）
４１  アンテナ
４２  ＲＦ回路部
４３  セキュリティーモジュール部
４７  タンパー検知部
４８  制御部
４９  ルータ
５１  自動販売機制御部
【図１】
0006711511.tif 000002
【図２】
0006711511.tif 000003
【図３】
0006711511.tif 000004